(57)【要約】  【課題】コンパクトで携帯に便利であって、クリーニングをして衛生的に長期間に使用できるばかりか、便座体は永続的に使用が可能である簡易軽便トイレットを提供する。  【解決手段】  格納袋５内から折り畳んだ状態の便座体１と外袋２と内袋４とリング部材３を取り出し、便座本体６と支持脚体７とを開き、外袋２の口部２Ａをリング部材３で保形し、外袋２を便座体１の開口部８に挿入して外袋２を便座体１に取付け、内袋３を広げて外袋２内に挿入し、この内袋３を便座本体６に取付けて、簡易軽便トイレットを組立てて、この簡易軽便トイレットに使用者が腰掛けて用便する。【選択図】  図【実用新案登録請求の範囲】
【請求項１】
開口部を有し且つ折畳み可能な便座本体を折畳み式の支持脚体で支えるようにした便座体と、
袋本体の口部が前記開口部とほぼ同じ形状に保形手段により保形された状態で、前記開口部に挿入され且つ外袋取付手段により前記便座本体に着脱可能に取付けられる外袋と、
前記外袋内に挿入され且つ内袋取付手段により前記便座本体に着脱可能に取付けられる内袋と、
前記便座体と前記外袋と前記内袋とをそれぞれに折り畳んだ状態で格納する格納袋とを備えたことを特徴とする簡易軽便トイレット。
【請求項２】
開口部を有し且つ折畳み可能な便座本体の両側に支持部材を設けた便座体と、
袋本体の口部が前記開口部とほぼ同じ形状に保形手段により保形された状態で、前記開口部に挿入され且つ外袋取付手段により前記便座本体に着脱可能に取付けられる外袋と、
前記外袋内に挿入され且つ内袋取付手段により前記便座本体に着脱可能に取付けられる内袋と、
前記便座体と前記外袋と前記内袋とをそれぞれに折り畳んだ状態で格納する格納袋とを備えたことを特徴とする簡易軽便トイレット。
【請求項３】
前記外袋取付手段は、前記開口部の周部に複数の便座本体側面ファスナーを設けると共に、前記外袋の口部の周部に、前記外袋を前記開口部に挿入した際に、前記便座本体側面ファスナーに接着される複数の外袋側面ファスナーを設けて構成してあり、
前記内袋取付手段は、前記内袋の口部に四方に展開可能な固定用片部を形成し、これらの固定用片部の先部に、前記便座本体の裏面に接着する接着部を形成して構成してあることを特徴とする請求項１又は請求項２に記載の簡易軽便トイレット。
【請求項４】
前記保形手段は、前記外袋の口部にリング挿入部を形成して、このリング挿入部にリング部材を挿入することで前記口部を開口状態に保形する構成であることを特徴とする請求項１乃至請求項３のいずれかの一に記載の簡易軽便トイレット。
【考案の詳細な説明】
【技術分野】
【０００１】
本考案は、災害避難所、高速道路の渋滞、キャンプ等の場所において窮余の処理に対応して衛生的に即応して処置し得る、例えば突然の体調不良による嘔吐及び大小の用便に対応することが可能であり、使用後、現場を汚すこともなく汚物の処理が可能な簡易軽便トイレットに関する。
【背景技術】
【０００２】
従来の、この種の簡易軽便トイレットは、図１５に示すように、袋５０の口部５０Ａにファスナー５１を設けると共に、この口部５０Ａに口部形成部材を兼ねたパッド５２を設け、袋５０内に凝固剤５３を収容した折畳み式のものがある。
【０００３】
この簡易軽便トイレットの使用方法は、まず、ファスナー５１を開くことで口部５０Ａを開け、パッド５２をガイドにして、袋５０内に小水もしくは吐瀉物を入れて、小水もしくは吐瀉物を凝固剤５３で凝固させ、ファスナー５１を閉じ、全体を合成樹脂製の袋（図示せず）に入れ、保管後廃棄する。
【０００４】
また、従来の簡易軽便トイレットとしては、図１６に示すように、取手６０Ａを有するペール缶６０と、外袋６１と、内袋６２と、便座６３とで構成してあり、この便座６３は、トイレットシートベース６４に便座本体６５と蓋体６６とをヒンジ機構（図示せず）により開閉可能に取付けて構成してある。そして、この簡易軽便トイレットはワンタッチテントセット（図示せず）とセットになっている（特許文献１参照）。
【０００５】
この簡易軽便トイレットの使用方法は、まず、ワンタッチテントセットを広げて構築したトイレットにペール缶６０を置き、このペール缶６０の中に外袋６１を広げ、次に、この外袋６１の中に内袋６２を広げて、ペール缶６０の口部に便座６３をセットする。そして、蓋体６６を開けて便座本体６５に座り排泄し、排泄物の入った内袋６２を取り出して、その口部を閉じて保管後廃棄する。
【特許文献１】実用新案登録第３０６９４６５号公報
【考案の開示】
【考案が解決しようとする課題】
【０００６】
しかし、図１５に示す従来の簡易軽便トイレットにあっては、価格が高価であり、小水の用便もしくは吐瀉にのみ用いるものであって大便の用便は不可能であるという問題点があった。
【０００７】
また、図１６に示す従来の簡易軽便トイレットにあっては、小水、大便のいずれの用便にも使用できるものではあるが、ペール缶６０と便座６３とが大きいことから携帯に不便であり、体調不良にて突然の用便に対処することができないという問題点があった。  
【０００８】
本考案はかかる従来の問題を改善するためになされたもので、その目的とするところは、コンパクトで携帯に便利であって、クリーニングをして衛生的に長期間に使用できるばかりか、便座体は永続的に使用が可能であり、消費はポリエチレン袋のみである経済的な簡易軽便トイレットを提供することである。
【課題を解決するための手段】
【０００９】
上記の目的を達成するために、本考案に係る簡易軽便トイレットは、開口部を有し且つ折畳み可能な便座本体を折畳み式の支持脚体で支えるようにした便座体と、袋本体の口部が開口部とほぼ同じ形状に保形手段により保形された状態で、開口部に挿入され且つ外袋取付手段により便座本体に着脱可能に取付けられる外袋と、外袋内に挿入され且つ内袋取付手段により便座本体に着脱可能に取付けられる内袋と、便座体と外袋と内袋とをそれぞれに折り畳んだ状態で格納する格納袋とを備えたものである。
【００１０】
かかる構成により、格納袋内から折り畳んだ状態の便座体と、外袋と、この外袋に挿入するリング部材と、内袋とを取り出し、便座本体を開き支持脚体を開いて、外袋を便座体の開口部に挿入して外袋を便座体に取付け、内袋を広げて外袋内に挿入し、この内袋を便座本体に取付けて、簡易軽便トイレットを組立てて、この簡易軽便トイレットに使用者が腰掛けて用便する。用便後、内袋を便座本体から取り外して臭気及び汚物が漏れないように内袋の口部を捻じり結んだ後に、内袋を保管して帰省後に内袋の汚物を処理する。
【００１１】
このような簡易軽便トイレットの出現により、災害時、避難所において架設された卜イレットに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できる。
【００１２】
また、本考案に係る簡易軽便トイレットは、支持脚体から便座本体を取り外し、便座本体を外袋と共に折畳可能にしてコンパクトで携帯に便利であるし、便座本体をクリーニングして衛生的に長期間に使用できる。しかも、便座体は永続的に使用が可能であり、内袋にポリエチレン袋を使用することにより経費は僅少である。
【００１３】
また、上記の目的を達成するために、本考案に係る簡易軽便トイレットは、開口部を有し且つ折畳み可能な便座本体の両側に支持部材を設けた便座体と、袋本体の口部が開口部とほぼ同じ形状に保形手段により保形された状態で、開口部に挿入され且つ外袋取付手段により便座本体に着脱可能に取付けられる外袋と、外袋内に挿入され且つ内袋取付手段により便座本体に着脱可能に取付けられる内袋と、便座体と外袋と内袋とをそれぞれに折り畳んだ状態で格納する格納袋とを備えたものである。
【００１４】
かかる構成により、格納袋内から折り畳んだ状態の便座体と、外袋と、この外袋に挿入するリング部材と、内袋とを取り出し、便座本体を開き、便座本体の両側の支持部材を手頃な物体、例えば籠体に載せて、この籠体に便座体をセットする。次に、外袋を便座体の開口部に挿入して外袋を便座体に取付け、内袋を広げて外袋内に挿入し、この内袋を便座本体に取付けて、簡易軽便トイレットを組立てて、この簡易軽便トイレットに使用者が腰掛けて用便する。用便後、内袋を便座本体から取り外して臭気及び汚物が漏れないように内袋の口部を捻じり結んだ後に、内袋を保管して帰省後に内袋の汚物を処理する。
【００１５】
このような簡易軽便トイレットの出現により、災害時、避難所において架設された卜イレに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できる。
【００１６】
また、本考案に係る簡易軽便トイレットは、洋式トイレの習性により便座体を折畳可能にしてコンパクトで携帯に便利であるし、便座本体を支持部材から外して、この便座本体をクリーニングして衛生的に長期間に使用できる。しかも、便座体は永続的に使用が可能であり、内袋にポリエチレン袋を使用することにより経費は僅少である。
【００１７】
特に、便座体には支持脚体が無いために、その分、軽量になり、また、格納袋に格納し易く、より携帯に便利になる。
【００１８】
また、本考案に係る簡易軽便トイレットは、上記した本考案に係る簡易軽便トイレットにおいて、外袋取付手段は、開口部の周部に複数の便座本体側面ファスナーを設けると共に、外袋の口部の周部に、外袋を開口部に挿入した際に、便座本体側面ファスナーに接着される複数の外袋側面ファスナーを設けて構成してあり、内袋取付手段は、内袋の口部に四方に展開可能な固定用片部を形成し、これらの固定用片部の先部に、便座本体の裏面に接着する接着部を形成して構成してあるものである。
【００１９】
かかる構成により、外袋を便座体の開口部に挿入して外袋側面ファスナーを便座本体側面ファスナーに接着することで、外袋を便座体に取付けることができるし、内袋を広げて外袋内に挿入し固定用片部を便座本体上に広げて、それぞれの固定用片部を便座本体の辺縁部で折り込んで固定用片部の先部の接着部を便座本体の裏面に接着することで内袋の便座本体への取付けを行うことができる。
【００２０】
また、本考案に係る簡易軽便トイレットは、上記した本考案に係る簡易軽便トイレットにおいて、保形手段は、外袋の口部にリング挿入部を形成して、このリング挿入部にリング部材を挿入することで口部を開口状態に保形する構成であるものである。
【００２１】
かかる構成により、リング挿入部にリング部材を挿入して外袋の口部をリング部材で、例えば、楕円形状に保形することができるために、外袋の便座体の開口部への挿入及び外袋側面ファスナーの便座本体側面ファスナーへの接着を容易にすることができるし、内袋の外袋内への挿入を容易にすることができる。
【考案の効果】
【００２２】
本考案に係る簡易軽便トイレットによれば、災害時、避難所において架設された卜イレに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できる。
【００２３】
また、本考案に係る簡易軽便トイレットは、洋式トイレの習性により便座体を折畳可能にしてコンパクトで携帯に便利であるし、便座本体を支持部材から外して、この便座本体をクリーニングして衛生的に長期間に使用できる。しかも、便座体は永続的に使用が可能であり、内袋にポリエチレン袋を使用することにより経費は僅少である。
【考案を実施するための最良の形態】
【００２４】
本考案の実施の形態を、図面を参照して詳述する。    
【００２５】
（実施の形態１）
本考案の実施の形態１を図１乃至図１２に示す。図１は本考案の簡易軽便トイレット（実施の形態１）の組立て前における分解状態の斜視図、図２は同簡易軽便トイレットの組立て状態の斜視図である。
【００２６】
本考案の簡易軽便トイレットは、便座体１と、外袋２と、この外袋２の口部２Ａに装着するリング部材３と、汚物を収容する内袋４と、これらの便座体１と外袋２とリング部材３と内袋４とを格納する格納袋５（図１２参照）とで構成してある。
【００２７】
便座体１は、方形で布製の便座本体６と、この便座本体６を支える折畳み式の支持脚体７とを有している。便座本体６の中央には楕円形状の開口部８が設けてあり、この開口部８の長軸は便座本体６の前後方向イに平行しており、開口部８の短軸は便座本体６の左右方向ロに平行している。そして、開口部８の周部には、所定の間隔をおいて六片の便座本体側面ファスナー９が、その接着面９ａを上に向けて縫着してある。
【００２８】
また、支持脚体７は、十字交叉して、その交叉部分でヒンジピン１０により連ねた二本の脚部材１１を一組のメンバー１２として、四組のメンバー１２を備えており、隣り合うメンバー１２の脚部材１１の上端部を上側連結部材１３に回動可能に連結し、隣り合うメンバー１２の脚部材１１の下端部を下側連結部材１４に回動可能に連結して構成してあり、四つの下側連結部材１４が踏板にしてある。
【００２９】
そして、支持脚体７の四つの上側連結部材１３に便座本体６の四隅部を止め部材１５で固定することで便座体１が構成してある。
【００３０】
便座本体６を開いた時点において人体の体重に即応できるように支持脚体７を強固にするためにストッパー機構１６が２か所に設けてある。これらのストッパー機構１６は、図５に示すように、短冊形状のストッパー１７を有しており、このストッパー１７の一端部には支点用孔部１８が、他端部には係止用孔部１９がそれぞれ形成してあり、係止用孔部１９は貫通孔１９ａに係止用部１９ｂを設けた構成である。
【００３１】
そして、ストッパー１７は、その支点用孔部１８を用いて支点ピン部材２０により支持脚体７のメンバー１２の脚部材１１の上部に揺動可能に取付けてあり、このメンバー１２に隣り合う他のメンバー１２の脚部材１１の上部には係止ピン部材２１が取付けてある。そして、便座本体６を開いた時点において、ストッパー１７の係止用孔部１９の貫通孔１９ａに係止ピン部材２１を挿入して便座本体６を開き切ることで係止ピン部材２１を係止用部１９ｂに係止することで隣り合うメンバー１２間をストッパー１７で固定するものである。
【００３２】
外袋２は、図７に示すように、合成樹脂製の袋体であり、その口部２２は折り返して縫製することで管状のリング挿入部２３が形成してあり、口部２２の一部には切込み部２４が形成してあって、この切込み部２４によりリング挿入部２３に二つのリング用口部２３ａ、２３ｂが形成してある。そして、外袋２の口部２２の周部には、所定の間隔をおいて六片の外袋側面ファスナー２５が縫着してある。
【００３３】
また、内袋４は、図８及び図９に示すように、合成樹脂製の袋体であり、その口部２８には、周方向の四カ所に切り抜き部２９が形成してあり、これらの切り抜き部２９により内袋４には四つの固定用片部３０が形成してあり、これらの固定用片部３０の先部には接着部３１が形成してあり、接着部３１は剥離紙３２が張ってある。なお、切り抜き部２９の端部はＵ字形状にしてある。
【００３４】
また、リング部材３は、図１０及び図１１に示すように、金属製の線材を円環形状に折り曲げて、その一端部に雄ねじ部２６を形成し、他端部に袋ナット部材２７を回転可能に取付けて構成してある。
【００３５】
格納袋５は、図１２に示すように、布製もしくは合成樹脂製の袋体であって、その口部３３は閉じ紐３４により絞ることにより閉じることができるものである。
【００３６】
そして、複数の便座本体側面ファスナー９と外袋側面ファスナー２５とで外袋取付手段が構成してあり、また、固定用片部３０と、これらの固定用片部３０の先部の接着部３１とで内袋取付手段が構成してある。また、リング挿入部２３と、このリング挿入部２３に挿入されるリング部材３とで外袋２の口部２２を開口状態に保形する保形手段が構成してある。
【００３７】
そして、格納袋５内には、折り畳んだ状態の便座体１と外袋２とリング部材３と内袋４とが格納してあり、この状態で保管され、また、自動車等に積み込まれるものである。
【００３８】
次に、上記のように構成された簡易軽便トイレットの組立てと、その使用方法を説明する。
【００３９】
格納袋５内から折畳状態の便座体１と外袋２とリング部材３と内袋４とを取り出し、便座体１の便座本体６と支持脚体７とを開く。この時点において、ストッパー１７の係止用孔部１９の貫通孔１９ａに係止ピン部材２１を挿入して便座本体６を開き切って係止ピン部材２１を係止用部１９ｂに係止することで隣り合うメンバー１２間をストッパー１７で固定して、人体の体重に即応できるように支持脚体７を強固にする。
【００４０】
次に、外袋２の口部２２に設けたリング挿入部２３に、その一方のリング用口部２３ａよりリング部材３を挿入して、口部２２に設けた切込み部２４において、リング部材３の一端部の雄ねじ部２６に、他端部に設けた袋ナット部材２７を螺合することで外袋２の口部２２をリング部材３で楕円形状に保形する。
【００４１】
次に、外袋２を便座体１の開口部８に挿入して六片の外袋側面ファスナー２５を六片の便座本体側面ファスナー９の接着面９ａに接着することで、外袋２を便座体１に装着する。
【００４２】
次に、内袋４の接着部３１から剥離紙３２を剥がし、この内袋４を広げて外袋２内に挿入し、図２及び図３に示すように、内袋４の四つの固定用片部３０を便座体１の前後方向イ及び左右方向ロに便座本体６上に広げて、それぞれの固定用片部３０を便座本体６の辺縁部で折り込んで固定用片部３０の先部の接着部３１を便座本体６の裏面に接着する。
【００４３】
このようにして、簡易軽便トイレットを組立てて、この簡易軽便トイレットに使用者が腰掛けて用便する。用便後、内袋４を便座本体６から取り外して臭気及び汚物が漏れないように内袋４の口部２８を捻じり結んだ後に、内袋４を保管して帰省後に内袋４の汚物を処理する。
【００４４】
上記したように、本考案の第１の実施の形態によれば、災害時、避難所において架設された卜イレットに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できる。
【００４５】
また、便座体１を、洋式トイレの習性により折畳可能としてコンパクトで携帯に便利であるし、便座本体６が布製であるからクリーニングをして衛生的に長期間に使用できる。しかも、便座体１は永続的に使用が可能であり、内袋４にポリエチレン袋を使用することにより経費は僅少である。
【００４６】
（実施の形態２）
本考案の実施の形態２を図１３及び図１４に示す。図１３は本考案の簡易軽便トイレット（実施の形態２）の組立て前における分解状態の斜視図、図１４は同簡易軽便トイレットの組立て状態の斜視図である。
【００４７】
本考案の簡易軽便トイレット（実施の形態２）は、便座体１−１と、外袋２−１と、この外袋２−１の口部２Ａに装着するリング部材３−１と、汚物を収容する内袋４−１と、これらの便座体１−１と外袋２−１とリング部材３−１と内袋４−１とを格納する格納袋５−１とで構成してある。
【００４８】
便座体１−１は便座本体６−１を有しており、この便座本体６−１の中央には楕円形状の開口部８が設けてある。そして、開口部８の周部には、所定の間隔をおいて六片の便座本体側面ファスナー９が、その接着面９ａを上に向けて縫着してある。また、便座本体６−１の左、右側辺部は折り返して縫製することで支持部材挿入部４０が形成してあり、便座本体６−１の左、右側辺部には、棒状の支持部材４１が支持部材挿入部４０に挿入して取付けてある。
【００４９】
また、外袋２−１とリング部材３−１と内袋４−１と格納袋５−１とは上記した本考案の第１の実施の形態における外袋２とリング部材３と内袋４と格納袋５と同じ構成であるために、同じ符号を付して説明を省略する。
【００５０】
次に、上記のように構成された簡易軽便トイレットの組立てと、その使用方法を説明する。
【００５１】
格納袋５−１内から折畳状態の便座体１−１と外袋２−１とリング部材３−１と内袋４−１とを取り出し、便座本体６−１を開く。そして、図１４に示すように、便座本体６−１の左、右の支持部材４１を手頃な物体、例えば籠体４２に載せて、この籠体４２に便座体１−１をセットする。
【００５２】
次に、外袋２−１の口部２２に設けたリング挿入部２３に、その一方のリング用口部２３ａよりリング部材３−１を挿入して、口部２２に設けた切込み部２４において、リング部材３−１の一端部の雄ねじ部２６に、他端部に設けた袋ナット部材２７を螺合することで外袋２の口部２２をリング部材３−１で楕円形状に保形する。
【００５３】
次に、外袋２−１を便座体１−１の開口部８に挿入して六片の外袋側面ファスナー２５を六片の便座本体側面ファスナー９の接着面９ａに接着することで、外袋２を便座体１−１に装着する。
【００５４】
次に、内袋４−１の接着部３１から剥離紙３２を剥がし、この内袋４−１を広げて外袋２−１内に挿入し、図１４に示すように、内袋４−１の四つの固定用片部３０を便座体１の前後方向イ及び左右方向ロに便座本体６−１上に広げて、それぞれの固定用片部３０を便座本体６−１の辺縁部で折り込んで固定用片部３０の先部の接着部３１を便座本体６−１の裏面に接着する。但し男性が使用する場合は、その前部を摘み上げ利用して漏尿を防止する。
【００５５】
このようにして、簡易軽便トイレットを組立てて、この簡易軽便トイレットに使用者が腰掛けて用便する、もしくは吐瀉を行う。用便もしくは吐瀉後、内袋４−１を便座本体６−１から取り外して臭気及び汚物（用便物もしくは吐瀉物）が漏れないように内袋４−１の口部２８を捻じり結んだ後に、内袋４−１を保管して帰省後に内袋４−１の汚物を処理する。
【００５６】
上記したように、本考案の第２の実施の形態によれば、災害時、避難所において架設された卜イレットに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できる。
【００５７】
また、便座体１−１を、洋式トイレの習性により折畳可能としてコンパクトで携帯に便利であるし、便座本体６−１が布製であるからクリーニングをして衛生的に長期間に使用できる。しかも、便座体１−１は永続的に使用が可能であり、内袋４−１にポリエチレン袋を使用することにより経費は僅少である。
【００５８】
特に、便座体１−１には支持脚体が無いために、その分、軽量になり、また、格納袋５−１に格納し易く、より携帯が便利になる。
【産業上の利用可能性】
【００５９】
本考案に係る簡易軽便トイレットによれば、災害時、避難所において架設された卜イレットに多数の人が困惑していることを解消することができるし、また、レクリエーションのキャンプに使用（コンパクトにてリックに装備が可能）することができる。また、長距離ドライブ中、高速道路の渋滞にて体調不良による嘔吐、大小の用便に対応できるばかりか、支持脚体から便座本体を取り外し、便座本体を外袋と共に折畳可能にしてコンパクトで携帯に便利であるし、クリーニングをして衛生的に長期間に使用でき、しかも、便座体は永続的に使用が可能であるという効果を有し、突然の体調不良による嘔吐及び大小の用便に対応する簡易軽便トイレット等に有用である。
【図面の簡単な説明】
【００６０】
【図１】本考案の簡易軽便トイレット（実施の形態１）の組立て前における分解状態の斜視図である。
【図２】同簡易軽便トイレットの組立て状態の斜視図である。
【図３】同簡易軽便トイレットの組立て状態の平面図である。
【図４】同簡易軽便トイレットにおける便座体の斜視図である。
【図５】同便座体における支持脚体のストッパー機構の説明図である。
【図６】同便座体の平面図である。
【図７】同簡易軽便トイレットにおける外袋の斜視図である。
【図８】同簡易軽便トイレットにおける内袋の斜視図である。
【図９】同内袋を畳んだ状態の平面図である。
【図１０】同簡易軽便トイレットにおけるリング部材の斜視図である。
【図１１】同リング部材の接続部分の断面図である。
【図１２】同簡易軽便トイレットにおける格納袋の斜視図である。
【図１３】本考案の簡易軽便トイレット（実施の形態２）の組立て前における分解状態の斜視図である。
【図１４】同簡易軽便トイレットの組立て状態の斜視図である。
【図１５】従来の簡易軽便トイレットの斜視図である。
【図１６】従来の他の簡易軽便トイレットの分解状態の斜視図である。
【符号の説明】
【００６１】
１      便座体
１−１  便座体
２      外袋
２−１  外袋
２Ａ    口部
３      リング部材（保形手段）
３−１  リング部材（保形手段）
４      内袋
４−１  内袋
５      格納袋
５−１  格納袋
６      便座本体
６−１  便座本体
７      支持脚体
８      開口部
９      便座本体側面ファスナー（外袋取付手段）
２２    口部
２３    リング挿入部（保形手段）
２５    外袋側面ファスナー（外袋取付手段）
２８    口部
３０    固定用片部（内袋取付手段）
３１    接着部（内袋取付手段）
４１    支持部材
４２    手頃な物体、例えば籠体
【図１】
0003104042.tif 000002
【図２】
0003104042.tif 000003
【図３】
0003104042.tif 000004
【図４】
0003104042.tif 000005
【図５】
0003104042.tif 000006
【図６】
0003104042.tif 000007
【図７】
0003104042.tif 000008
【図８】
0003104042.tif 000009
【図９】
0003104042.tif 000010
【図１０】
0003104042.tif 000011
【図１１】
0003104042.tif 000012
【図１２】
0003104042.tif 000013
【図１３】
0003104042.tif 000014
【図１４】
0003104042.tif 000015
【図１５】
0003104042.tif 000016
【図１６】
0003104042.tif 000017